(57)【要約】      （修正有）【課題】部品の紛失がなく、工具なしで組み立てが簡単にでき且つヘルドフレーム又はヘルドを支持レールに確実に固定できる構造のヘルドを構成する。【解決手段】ヘルド１、特にからみ耳形成装置の部分としての昇降式ヘルドにおいて、ヘルドがヘルドフレームまたはヘルド支持レールに取り付けるための閉じたまたは開いたアイレットを備える頭部および脚部を有し、頭部および／または脚部２、３がヘルドフレームまたはヘルド支持レールに定置式に固定可能であり、頭部２および／または脚部３が掛止装置を利用して形状嵌合式にヘルドフレームまたはヘルド支持レールに固定可能としたヘルドである。【選択図】  図１
2006009234.tif 000002
【特許請求の範囲】
【請求項１】
ヘルド（１）、特にからみ耳形成装置の部分としての昇降式ヘルドにおいて、ヘルドがヘルドフレームまたはヘルド支持レール（１３）に取り付けるための開いたまたは閉じたアイレットを備える頭部および脚部を有し、頭部および／または脚部（２、３）がヘルドフレームまたはヘルド支持レール（１３）に定置式に固定可能であるヘルドであって、
頭部（２）および／または脚部（３）が掛止装置（１１、１２、１３ａ）を利用して形状嵌合式にヘルドフレームまたはヘルド支持レール（１３）に固定可能であることを特徴とするヘルド。
【請求項２】
ヘルド（１）の頭部（２）および／または脚部（３）が、ほぼヘルドフレームまたはヘルド支持レール（１３）の断面に相当するアイレット（１０）を有し、掛止装置（１１、１２、１３ａ）がヘルドフレームまたはヘルド支持レール（１３）に向けられた掛止鼻端（１１）を含み、この掛止鼻端がそれに対して連通して形成された、ヘルドフレームまたはヘルド支持レール（１３）の掛止開口（１３ａ）の中に挿通可能であることを特徴とする、請求項１記載のヘルド。
【請求項３】
掛止鼻端（１１）がヘルド（１）の組立状態で垂直に整列したアイレット（１０）の内壁（１０ａ）に配置されていることを特徴とする、請求項２記載のヘルド。
【請求項４】
掛止鼻端（１１）に対向するアイレット（１０）の内壁（１０ｂ）の中に弾力性のある舌片（１２）が配置されており、この舌片（１２）によって掛止鼻端（１１）が掛止開口（１３ａ）の中に押し入れされることを特徴とする、上記請求項の一項またはそれ以上の項に記載のヘルド。
【請求項５】
頭部（２）および／または脚部（３）が掛止鼻端（１１）の後部に磁石（２１）を有することを特徴とする、上記請求項の一項またはそれ以上の項に記載のヘルド。
【請求項６】
舌片（１２）が掛止鼻端（１１ａ）を有することを特徴とする、上記請求項の一項またはそれ以上の項に記載のヘルド。
【発明の詳細な説明】
【技術分野】
【０００１】
本発明は、ヘルド、特にからみ耳形成装置の部分としての昇降式ヘルドにおいて、ヘルドがヘルドフレームまたはヘルド支持レールに取り付けるための閉じたまたは開いたアイレットを備える頭部および脚部を有し、前記頭部および／または脚部がヘルドフレームまたはヘルド支持レールに定置式に固定可能であるヘルドに関する。開いたアイレットとは、この関連性において、たとえばスリットである。
【背景技術】
【０００２】
ヘルドは織物技術でよく知られている。特にからみ耳形成装置の部分としての昇降式ヘルドも知られており、昇降式ヘルドによって交互にからみ耳を形成するための半ヘルドが連動される。半ヘルドはその上部ブリッジの領域に控糸（Ｓｔｅｈｅｒｆａｄｅｎ）を収容するためのアイレットを有し、半ヘルドと昇降式ヘルドとの間にからみ糸が案内されており、からみ耳織の製造のためにからみ糸が半ヘルドの一方の側から半ヘルドの他方の側への各通し糸交換時に交換される（特許文献１）。
【０００３】
ヘルドフレームもしくは昇降式ヘルドを収容するヘルド支持レールでの昇降式ヘルドの組立を容易にするために、すでにこのような昇降式ヘルドの頭部に旋回可能のシャックルを装着することが知られている（特許文献２）。昇降式ヘルドの対向端、すなわち脚部には、別のヘルドフレームもしくは別の対向するヘルド支持レールの収容に用いられる開口が設けられている。しかしながら、ヘルド支持レールもしくはヘルドフレームに昇降式ヘルドを取付ける前記形式によって、ヘルドは側面でヘルド支持レールもしくはヘルドフレーム上で移動し得ることが防止されない。
【０００４】
さらに、特に織物の中心でも、たとえば織物の中心の分割または切断通路でも多通路織りに使用できるいわゆる小型からみ耳形成器が知られている。このような小型からみ耳形成器は指状の突起体の形式のヘルド支持レールを有し、この指状の突起体の長さは最大でもヘルドの頭部または脚部の幅に相当し、そのため頭部または脚部は外部耳と同列にヘルド支持レールの前面端部で終端する。そのため、これはたて糸に沿ってヘルドをかすめるために必要である。これはヘルドの幅全体にわたり突出するヘルド支持レールの端部でヘルドに沿ったたて糸の走行を妨げる。
【０００５】
ヘルド支持レール上にヘルドを固定するために、今やヘルドを頭部または脚部の領域で昇降式ヘルドとねじ止めすることが知られている。すなわち、たとえば頭部が貫通穴を有し、この穴はヘルド支持レールの対応する穴と軸平行に延び、それによってねじＭ２によってヘルドをヘルド支持レール上に固定可能である。Ｍ２よりも大きいねじは、ヘルドの頭部もしくは脚部がサイズのために大きいねじを使用できないので、この場合には使用できない。工場運転中のねじＭ２の取扱いは、このようなねじが簡単に失われ、あるいは手による取扱いが非常に困難なため、極めて煩雑である。
【特許文献１】ドイツ連邦共和国特許第３９１２７３３号明細書
【特許文献２】ヨーロッパ特許出願公開第０３４４４２８号公報
【発明の開示】
【発明が解決しようとする課題】
【０００６】
従って本発明の基礎をなす課題は、ヘルドが簡単な方法で紛失できない部品と工具なしの組立てとによって、しかしそれにもかかわらず確実にヘルドフレームもしくはヘルド支持レールに固定できるように、冒頭に述べた形式のヘルドを形成することである。
【課題を解決するための手段】
【０００７】
この課題は本発明により、頭部および／または脚部が掛止装置を利用して形状嵌合式に、特に移動不能にヘルドフレームまたはヘルド支持レールに固定可能であることによって解決される。従って、このような掛止装置を利用してヘルド、特に昇降式ヘルドがヘルド支持レール上にクリップ止めされる。このような組立は、煩わしい小さいねじを対応する小さい開口の中に挿入して、ねじ止めせざるを得ず、近接性が組立時に完全に制限されてしまうことが付加される場合よりも本質的に簡単である。
【０００８】
好ましい本発明の特徴は従属請求項に記載する。
【発明の効果】
【０００９】
特に、ヘルドの頭部および／または脚部のアイレットはほぼヘルドフレームまたはヘルド支持レールの断面に相当することを考慮しており、掛止装置はヘルドフレームまたはヘルド支持レールに向けられた掛止鼻端またはネップを含み、該ネップがそれに対して連通して形成されたヘルドフレームまたはヘルド支持レールの掛止開口の中に挿通可能である。ヘルドおよび特に昇降式ヘルドは本質的に合成樹脂から製造されている。このような合成樹脂は一定の固有弾性を有し、そのためすでに合成樹脂の前記固有弾性によって頭部または脚部の領域で掛止鼻端をヘルドフレームまたはヘルド支持レールの対応する掛止開口の中に押し込まれる。掛止鼻端が織機の作業中に発生する振動によって意図せずに掛止開口から飛び出し得ることを防止するために、もう１つの特徴に従って、掛止鼻端に対向するアイレットの内壁の中に弾力性のある舌片が配置されることを考慮しており、この舌片によって掛止鼻端が掛止開口の中に押し入れもしくは引き入れられる。すなわち舌片がヘルド支持レールに取り付けていない状態でアイレットの中に突出する。
【００１０】
もう１つの特徴に従って、頭部および／または脚部はネップもしくは掛止鼻端の後部に磁石を有する。つまりこの磁石はヘルド支持レールまたはヘルドフレームに直接隣接しており、特にヘルド支持レールが金属製であるため、この磁石は、該磁石がヘルド支持レールに行使する該磁石の磁力によって、ネップまたは掛止鼻端が掛止開口から飛び出ることができないようにする。すなわち磁力によって掛止鼻端が掛止開口の中に引き入れられる。
【００１１】
もう１つの特徴に従って、弾力性のある舌片自体は付加的にもう１つのネップを有し、そのため支持レールは舌片状に２面から取り囲まれ、ネップまたは掛止鼻端が２面の掛止開口の中へ係合する。
【００１２】
本発明は、以下、図面を利用して例により詳しく説明する。
【発明を実施するための最良の形態】
【００１３】
全体を１で表したヘルドは頭部２と脚部３とを有する。頭部２は１０で表したアイレットと、スリットまたは開口とを有する。これは、「アイレット」で期待されるように、必ずしも上部が閉じている必要がない。その限りで、これは開いたアイレットとしてよい。アイレット１０は昇降式ヘルドの組立状態で２つの垂直の内壁１０ａおよび１０ｂであり、アイレット１０の内壁１０ａに組み込まれたネップ１１を設けている。アイレット１０の内壁１０ｂの領域に弾力性のある舌片１２がある。弾力性のある舌片１２はアイレット１０の中に突出する。弾力性のある舌片１２によって掛止鼻端またはネップ１１がヘルド支持レール１３の掛止開口１３ａの中に押し込まれもしくは引き入れられる（図３）。弾力性のある舌片１２自体は、好ましくは同様に掛止鼻端またはネップ１１ａを有し、ヘルド支持レールは鋏状に把持される。掛止開口１３ａがヘルド支持レール１３の中に貫通している場合、両方の掛止鼻端１１、１１ａが対向側から前記掛止開口の中に係合する。
【００１４】
アイレット１０と平行に、磁石が使用される開口２０を付加的に昇降式ヘルドの頭部に設けることができ、この開口は磁石２１の収容に用いられ、該磁石はさらに、ヘルド支持レールの掛止開口１３ａがネップ１１に押し入れられるようにする。
【図面の簡単な説明】
【００１５】
【図１】昇降式ヘルドの側面図である。
【図２】図１の細部ＩＩの拡大図である。
【図３】指状の突起体としてヘルド支持レールを備える耳形成器の部分透視図である。
【図１】
2006009234.tif 000003
【図２】
2006009234.tif 000004
【図３】
2006009234.tif 000005